(57)【特許請求の範囲】
【請求項１】
基部が床革よりなる手袋の、指と指の股部分に、掌側より手の甲側にかけて、該掌側より手の甲側の方が、腕側の方へ深く切れ込むようにそれぞれ三角形状の切り込みを設け、この切り込んだ部分に、この切り込み部分の面積より面積的に大きな、しかも上記床革より薄い素材からなる別パーツを縫着したことを特徴とする作業用手袋。
【請求項２】
前記薄い素材が、本革からなることを特徴とする請求項１記載の作業用手袋。
【請求項３】
前記手袋が、脱いだ状態で、小指の薬指側の部分が該薬指に一部重なり、薬指の中指側の部分が該中指に一部重なり、中指の人指し指側の部分が該人指し指に一部重なるよう構成されていることを特徴とする請求項１又は２記載の作業用手袋。
【発明の詳細な説明】
【０００１】
【発明の属する技術分野】
本発明は、溶接あるいは鉄工組立・加工作業あるいはアウトドアーに使用される手袋（この明細書において作業用手袋という）の改良発明に関する。
【０００２】
【従来の技術および発明が解決しようとする課題】
従来から、溶接作業あるいは鉄骨の研削作業もくしは鉄骨の組み立て作業の際には、手の防護に鑑みて、全ての部分が所謂「床革」と呼ばれる厚手の革で構成されている作業用の手袋が使用される。
しかしながら、この床革で構成される従来の作業用手袋の場合、縫製部分が、特に、指部分と掌部分との縫製部分において、掌側、手の甲側、および側面側を縫製しているため、指と指の股部分に縫製箇所が当接するため、所謂「ごわごわ」した感触を手に与えることになり、従って、手袋のはき心地が極めて悪い。また、全てのパーツが厚みの厚い床革からなり、これらを直接縫着して手袋を形成しているため、指を折り曲げるのに比較的大きな力を必要とするものであった。
【０００３】
しかるに、専ら作業者は、『作業用手袋とはこのようなものである』との作業用手袋の既成概念に慣らされて、何ら疑問を抱くことなく上記不都合があるにもかかわらず我慢して使用し、少し細かい作業をするときには、該作業用手袋を脱いで、作業しているのが現状であった。
【０００４】
本発明は、このような現況に鑑みておこなわれたもので、「はき心地」が良く指が動かし易くなった、しかも従来同様に安全性の高い作業用手袋を提供することを目的とする。
【０００５】
なお、ゴルフ用手袋で、ゴルフクラブのグリップ部分に、手袋の親指と人指し指間に三角形状の別パーツを、縫着したもの（実開平６−５２８７７号）があるが、この場合、構成的には同じ厚みのものを使用しており、且つ作用効果上もゴルフクラブのグリップ部分と手袋の縫製部分が当接しないという作用効果を具備するもので、本願発明とは、全く技術思想的には異なるものである。
【０００６】
【課題を解決するための手段】
本発明にかかる作業用手袋は、基部（「基部」とは、この明細書において、少なくとも、手袋の指の腹と側面部分を含む「物を把持したとき該物に接触する」手袋の掌側の部分を言う）が床革よりなる手袋の、指と指の股部分に、掌側より手の甲側にかけて、該掌側より手の甲側の方が、腕側の方へ深く切れ込むようにそれぞれ三角形状の切り込みを設け、この切り込んだ部分に、この切り込み部分の面積より面積的に大きな、しかも上記床革より薄い素材からなる別パーツを縫着したことを特徴とする。
【０００７】
しかして、このように構成された作業用手袋によれば、敏感な指の股部分に薄い素材部分が当接するため、床革を基材とする作業用手袋としては、格段にはき心地の良い且つ該股部分に違和感が全くない手袋となる。また、この薄い素材の別パーツ部分を、切り込み部分の面積より大きな面積にしているため、また薄い素材を使用しているため、指間の股部分に「つっぱり感」等がなく、また指の動きが作業用手袋としては飛躍的に向上した「はきやすい」手袋となる。
【０００８】
そして、上記薄い素材として、本革を使用することができ、この場合、皺等によって指の股部分の形状に馴染み易いことから、さらに、はき心地の良い作業用手袋となるとともに、この別パーツ部分の絶対面積が小さいことから、高級作業用手袋あるいは高級手袋の、従来「廃棄」するような「端（はした）」の革を使用することができ、価格的にも安価に実施できる作業用手袋となる。また、上記別パーツが、上記切り込んだ部分の面積より、面積的に大きな面積的にしても、本革の柔軟性および収縮性（皺による自然な収縮）により、はきやすい手袋となる。
【０００９】
また、上記手袋が、脱いだ状態（畳んだ状態）で、小指の薬指側の部分が該薬指に一部重なり、薬指の中指側の部分が該中指に一部重なり、中指の人指し指側の部分が該人指し指に一部重なるよう構成されていると、上記別パーツ部分の面積が切り込み部分の面積より大きくなっていても、手袋を畳んだ状態でも、すっきり指と指の間に格納された状態となり、従来の作業用手袋に比べて、美観的に好ましい構成となり、また嵩張ることがない。
【００１０】
【発明の実施の形態】
以下、本発明の実施例にかかる作業用手袋を、図面を参照しながら、より具体的に説明する。
図１は本発明の実施例にかかる手袋の要部（指の股部分）の構成を全体の構成とともに示す作業用手袋の全体斜視図、図２は人指し指と中指の股部分の拡大斜視図、図３はその股部分を指先側の真上から見た指の側面部分と別パーツの配置状態を示す図、図４は図１に示す作業用手袋の掌側から見た図、図５は図１に示す作業用手袋を手の甲側から見た図、図６，図７は図１に示す作業用手袋の各パーツの展開図である。
【００１１】
図１において、Ａは専ら溶接あるいは鉄骨の加工および組み立て等に使用する作業用手袋で、この実施例にかかる作業用手袋Ａは、図４、図５に図示されるように、手の甲部分と基部を含む全てが床革によって構成され、この作業用手袋Ａの親指を除く他の各指（人指し指から小指の各指）の股部分１Ａ（図２の拡大図参照）〜１Ｃが、掌側より手の甲側にかけて、三角形状に切り込まれている。この切り込まれた部分は、掌側部分より手の甲側の方が腕側（反指先側）の方へ深く切れ込むような構成になっている。正確には、上記切り込まれた部分（切り込んだ部分）は、この実施例の場合、図７（ａ）に図示するように、鏃（やじり）状（あるいは「航空機の後退翼」形）をしている。この明細書では、このような三角形の底辺の中央が頂部側に凹んだような形状も含めて「三角形状」という。そして、この三角形状に切れ込んだ部分には、該切り込んだ部分より面積的に大きな、つまり、この切り込んで削除した部分の面積より面積的に大きな、別パーツ２Ａ〜２Ｃが縫着されている（図１，図２参照）。そして、縫着した指の股部分を斜視図的に拡大して表すと図２のように、また、真上から見ると、図３のようになる。そして、この別パーツ２Ａ〜２Ｃは、本実施例の場合、床革に比べて厚みの薄い、つまり、床革の略２／５程度の厚さの「本革」で構成されている。この別パーツ２を構成する本革は、他の高級手袋あるいは精密作業用手袋（部品組立用等に使用する高級作業用手袋）に使用して残った「端（はした）」の本革を使用することができる。つまり、この別パーツ２Ａ〜２Ｃは、具体的には、最大幅（底辺から頂部までの寸法）１．５〜２．５ｃｍ程度、最大長さ（底辺の寸法）５〜７ｃｍ程度の、極く、小さなものであり、実際、各上記切り込んだ部分の寸法に比べて、この実施例の場合、幅，長さ共に、２〜５ｍｍ程度、大きくした面積にしている。
【００１２】
そして、この実施例にかかる作業用手袋Ａの場合、各パーツは、図６、図７に図示するような形状をしており、これらを縫製（縫着）することによって図１，図４，図５に図示するような作業用手袋Ａができあがる。
即ち、この実施例において、作業用手袋Ａは、図６あるいは図７に図示するように、基部の一部を構成する第１のパーツ１１（図６（ｄ）参照）と、基部の一部で袖部分となる第２のパーツ１２（図６（ｃ）参照）と、基部の一部で小指の手の甲側および側面部分となる第３のパーツ１３（図６（ｅ）参照）と、基部の一部で、上記第１のパーツ１１の切り欠き部分１１ｆに縫着され親指部分となる第４のパーツ１４（図６（ａ）参照）と第５のパーツ１５（図６（ｂ）参照）と、中指の手の甲側および側面部分となる第６のパーツ１６（図７（ｄ）参照）と、薬指の手の甲側および側面部分となる第７のパーツ１７（図７（ｃ）参照）と、親指の付け部分の補強材となる第８のパーツ１８（図７（ｂ）参照）と別パーツ２（２Ａ，２Ｂ，２Ｃ）（図７（ａ）参照）から、構成されている。
上記第１のパーツ１１は、図６（ｄ）に図示するように、掌部分１１ａと、掌側（腹側）の小指部分１１ｂと、掌側（腹側）の薬指部分１１ｃと、掌側（腹側）の中指部分１１ｄと、掌側（腹側）および手の甲側の人指し指部分１１ｅとからなり、太線で描かれ「３０」の参照番号が付されている部分が、この場合、人指し指と中指の間の股部分１Ａの切り込んだ部分のうち人指し指側の端部となる。つまり、従来の作業用手袋（切り込んだ部分がない作業用手袋）の場合、３０で示される線を端部とする二点鎖線で示すように形状が付加されることになり、この発明にかかる手袋の場合、この二点鎖線で示す部分が人指し指と中指の間の股部分１Ａの切り込んだ部分の人指し指側の部分となる。
また、上記第２のパーツ１２は、図６（ｃ）に図示するように、第１のパーツ１１の掌部分１１ａ（図６（ｄ）参照）の下端１１ｕに上端部１２ａが縫着される手袋の所謂「袖部分」を構成する。
また、上記上記第３のパーツ１３は、図６（ｅ）に図示するように、上述のように、第１のパーツ１１の小指部分１１ｂに縫着される、掌側および側面部分を構成し、太線で描かれ「３１」の参照番号が付されている部分が、この場合、小指と薬指の間の股部分１Ｃ（図１参照）の切り込んだ部分のうち小指側の端部となる。つまり、従来の作業用手袋（切り込んだ部分がない作業用手袋）の場合、３１で示される線を端部とする二点鎖線で示すような形状が付加されることになり、この発明にかかる手袋の場合、この二点鎖線で示す部分が小指と薬指の間の股部分１Ｃ（図１参照）の切り込んだ部分の小指側の部分となる。
また、図６（ａ），（ｂ）に図示する、上記第４のパーツ１４および第５のパーツ１５は、図６（ｄ）に図示する、第１のパーツ１１の人指し指部分１１ｅ下方の切り欠き１１ｆに縫着される親指部分で、この第４のパーツ１４は親指の掌側を構成し、また、上記第５のパーツ１５は親指の手の甲側の部分と側面部分を構成する。
また、上記第６のパーツ１６は、図７（ｄ）に図示するように、第１のパーツ１１の中指部分１１ｄに縫着される中指の掌側の部分と側面部分を構成し、太線で描かれ「３２」の参照番号が付されている部分が、この場合、中指と薬指の間の股部分１Ｂの切り込んだ部分のうち中指側の端部となり、太線で描かれ「３３」の参照番号が付されている部分が、この場合、中指と人指し指の間の股部分１Ａの切り込んだ部分のうち中指側の端部となる。つまり、従来の作業用手袋（切り込んだ部分がない作業用手袋）の場合、３２で示される線を端部とする二点鎖線で示すような形状と３３で示される線を端部とする二点鎖線で示すような形状が両側に付加されることになり、この発明にかかる手袋の場合、３２を端部として有する二点鎖線で示す部分が中指と薬指の間の股部分１Ｂの切り込んだ部分の中指側の部分となり、また、３３を端部として有する二点鎖線で示す部分が中指と人指し指の間の股部分１Ａの切り込んだ部分の中指側の部分となる。
また、上記第７のパーツ１７は、図７（ｃ）に図示するように、第１のパーツ１１の薬指部分１１ｃに縫着する該薬指の掌側の部分と側面部分を構成し、太線で描かれ「３４」の参照番号が付されている部分が、この場合、小指と薬指の間の股部分１Ｃの切り込んだ部分のうち薬指側の端部となり、太線で描かれ「３５」の参照番号が付されている部分が、中指と薬指の間の股部分１Ｂの切り込んだ部分のうち薬指側の端部となる。つまり、従来の作業用手袋（切り込んだ部分がない作業用手袋）の場合、３４で示される線を端部とする二点鎖線で示すような形状と３５で示される線を端部とする二点鎖線で示すような形状が両側に付加されることになり、この発明にかかる手袋の場合、３４を端部として有する二点鎖線で示す部分が小指と薬指の間の股部分１Ｃの切り込んだ部分の薬指側の部分となり、また、３５を端部として有する二点鎖線で示す部分が中指と薬指の間の股部分１Ｂの切り込んだ部分の薬指側の部分となる。
ところで、上記第１〜第７の各パーツ１１〜１７は、この実施例では、全て床革によって構成されている。
また、図７（ａ）に図示される上記切り込んだ部分（股部分１Ａ〜１Ｃ）に縫着される別パーツ２は、上述したように全て本革で構成され、この実施例の場合、該図７（ａ）に図示する同じ形状のものが、３つ（３片）用意され、それぞれ上記別パーツ２Ａ〜２Ｃとなる。
また、図７（ｂ）において、１８は上述のように親指の付け根部分の補強用のパーツで、この実施例の場合、このパーツ１８にも本革が使用されている。
【００１３】
そして、上述の別パーツ２（２Ａ〜２Ｃ），第１〜第８のパーツ１１〜１８は、以下のように縫製されて、作業用手袋となる。
即ち、この作業用手袋Ａの場合、所謂「背縫」と呼ばれる、手の甲側の表面に縫い合わせ部分が露出するような形態（形式）に縫製され、上述した各切り込んだ部分には、それぞれ、上記別パーツ２（２Ａ〜２Ｃのいずれか）が縫着される。また、予め、上記第５のパーツ１５と上記第４のパーツ１４が縫着され、これら縫着された親指部分が、上記人指し指部分に隣接するよう上記切り欠き１１ｆ部分に縫着される。この縫着もはき心地の良さを向上させるために、背縫（外縫：縫い目が外方に露出する）とする。
そして、次に、上記第８のパーツ１８が、親指の付け根の掌側の部分に補強材として縫着される。
そして、最後に、上記縫製された第１のパーツ１１の下端に、上記第２のパーツ１２が縫着され、この第２のパーツ１２の両端の一方は第６のパーツ１６の側端の下部に縫着され、もう一方は第３のパーツ１３の側端の下部に縫着される。
【００１４】
さらに、この作業用手袋Ａでは、掌側となる第１のパーツ１１の各人指し指から小指の部分に比べて、手の甲側の上記第３，第６，第７のパーツ１３，１６，１７の指部分を、幅広にするとともに、各指のパーツの背縫部分をそれぞれ人指し指側にそれぞれ移動した位置に形成しているため、手袋を、脱いだ状態において、図５に図示するように、小指の薬指側の付け根部分が該薬指に一部重なり、薬指の中指側の付け根部分が該中指に一部重なり、中指の人指し指側の付け根部分が該人指し指に一部重なるよう構成される。
【００１５】
そして、上述のように縫製された本実施例にかかる作業用手袋によると、敏感な指の股部分に本革が当接するため、床革を基材とする作業用手袋としては、格段にはき心地の良い且つ該股部分に違和感が全くない手袋となる。また、この本革からなる別パーツ部分を、切り込んだ部分の面積より大きな面積にしているため、また薄い素材を使用しているため、指間の股部分に「つっぱり感」等がなく、また指の動きが楽な手袋となる。従って、従来の作業用手袋では行えなかった細かい作業をも容易に可能とする作業用手袋となる。また、手の甲側を「背縫」構造にしているため、手袋をはいたときに、手の甲側にも全く違和感が無いはき心地の良い作業用手袋となる。
【００１６】
ところで、上記実施例では、専ら、掌側の第１のパーツ１１を小指から人指し指の各指部分を一つの素材で構成し、途中で縫着していないが、図８，図９に図示するように、手の甲側の部分については、図９（ｂ）に図示するように、全て一体になり基部の一部を形成する第１のパーツ１１１で構成し、図９（ａ）に図示するように、掌側について、小指部分と人指し指部分を一体にし基部の一部を形成する第２のパーツ１２１で構成し、基部の一部となる中指と薬指の掌側の部分については、図８（ｃ），（ｄ）に図示するように、指の付け根部分で分離した構成とすることもできる。基部の一部となる親指部分のパーツについては、上述の実施例と同様に２片に分離したパーツ１１４，１１５で構成する。このような構成の手袋の場合にも、図８（ａ）に図示するような、別パーツ１０２として三角形状の薄い素材（例えば、本革）のものを用いると、上記同様の作用効果を具備した作業用手袋となる。なお、図８において、参照番号「１１２」が付されているのは、手袋の袖部分のうち掌側のパーツ（図８（ｆ）参照）で、参照番号「１１４」が付されているのは、手袋の親指の掌側のパーツ（図８（ｅ）参照）で、参照番号「１１５」が付されているのは、手袋の親指の甲側のパーツ（図８（ｂ）参照）で、参照番号「１１６」が付されているのは、手袋の中指の掌側のパーツ（図８（ｄ）参照）で、参照番号「１１７」が付されているのは、手袋の薬指の掌側のパーツ（図８（ｃ）参照）を表す。
【００１７】
また、図１０に図示するように、手袋の掌側全てと指の側部および指先部分を除く、手袋の手の甲側の部分２００のみをニット等の別の材質のものを用い、その他の部分（基部）に床革を用いたような構成でも良く、かかる場合にも、上記本発明にかかる構成を採用することによって、上記同様の作用効果を奏する作業用手袋となる。そして、このような作業用手袋は、上記図１〜図７あるいは図８，図９に図示する作業用手袋に比べて、手の甲側が非常に曲がりやすくなるため、軽作業も可能な作業用手袋となる。
【００１８】
【発明の効果】
本発明にかかる作業用手袋によれば、「はき心地」が良く指が動かし易くなった、しかも従来同様に安全性の高い作業用手袋となる。そして、薄い素材として「端（はした）」の本革を使用すれば、コスト的にも安価に提供できる作業用手袋となり、しかも、従来、廃棄物として捨てられていたものを使用するため、地球環境的にも貢献する作業用手袋となる。
【図面の簡単な説明】
【図１】  本発明の実施例にかかる手袋の要部（指の股部分）の構成を示す作業用手袋の全体斜視図である。
【図２】  図１に示す作業用手袋の人指し指と中指の股部分の拡大斜視図である。
【図３】  図１に示す作業用手袋の指と指の股部分を指先側の真上から見た指の側面部分と別パーツを分離して示す図である。
【図４】  図１に示す作業用手袋の掌側から見た図である。
【図５】  図１に示す作業用手袋を手の甲側から見た図である。
【図６】  図１に示す作業用手袋の各パーツの展開図である。
【図７】  図１に示す作業用手袋の各パーツの展開図である。
【図８】  本発明の別の実施例にかかる作業用手袋の各パーツの展開図である。
【図９】  本発明の別の実施例にかかる作業用手袋の各パーツの展開図である。
【図１０】  本発明のさらに別の実施例にかかる作業用手袋の手の甲側から見た全体図である。
【符号の説明】
Ａ……作業用手袋
１Ａ〜１Ｃ……指の股部分
２……別パーツ
【図１】
0004349694.tif 000002
【図２】
0004349694.tif 000003
【図３】
0004349694.tif 000004
【図４】
0004349694.tif 000005
【図５】
0004349694.tif 000006
【図６】
0004349694.tif 000007
【図７】
0004349694.tif 000008
【図８】
0004349694.tif 000009
【図９】
0004349694.tif 000010
【図１０】
0004349694.tif 000011